(57)【要約】【課題】投稿情報の数が少ない場合であっても、地名に対するユーザの感覚に合ったエリアを精度良く決定する。【解決手段】一実施形態のエリア決定装置１０は、一又は複数のユーザによって投稿された、所定の地名を特定する情報と投稿位置を示す位置座標の情報とを含む一又は複数の投稿情報を取得する投稿情報取得部１２と、所定の地名に予め対応付けられたエリアである対応エリアを示す情報を取得するエリア情報取得部１３と、上記一又は複数の投稿情報の各々の投稿位置と対応エリアとの位置関係に基づいて、対応エリアを拡張するエリア拡張部１４と、を備える。【選択図】図１
2018055526.tif 000002
【特許請求の範囲】
【請求項１】
一又は複数のユーザによって投稿された、所定の地名を示す文字列と投稿位置を示す位置座標の情報とを含む一又は複数の投稿情報を取得する投稿情報取得部と、
前記所定の地名に予め対応付けられたエリアである対応エリアを示す情報を取得するエリア情報取得部と、
前記一又は複数の投稿情報の各々の投稿位置と前記対応エリアとの位置関係に基づいて、前記対応エリアを拡張するエリア拡張部と、
を備えるエリア決定装置。
【請求項２】
前記エリア拡張部は、前記一又は複数の投稿情報の各々の投稿位置と前記対応エリアとの距離に基づいて、前記一又は複数の投稿情報の各々の投稿位置のうちから前記対応エリアの拡張に用いられる一又は複数の投稿位置を選択し、選択された一又は複数の投稿位置に基づいて前記対応エリアを拡張する、
請求項１に記載のエリア決定装置。
【請求項３】
前記エリア拡張部は、一の投稿位置に基づいて定められる所定範囲内に含まれる投稿位置の数に更に基づいて、前記一の投稿位置を前記対応エリアの拡張に用いられる投稿位置として選択する、
請求項２に記載のエリア決定装置。
【請求項４】
前記投稿情報は、前記所定の地名を示す文字列を含むテキストを含んでおり、
前記エリア拡張部は、一の投稿情報に含まれる前記テキストに基づいて、前記一の投稿情報の投稿時に前記ユーザが前記所定の地名によって示される場所にいると認識していたか否かを判定し、前記ユーザが前記所定の地名によって示される場所にいると認識していたと判定された場合に、前記一の投稿情報の投稿位置を前記対応エリアの拡張に用いられる投稿位置として選択する、
請求項２又は３に記載のエリア決定装置。
【発明の詳細な説明】
【技術分野】
【０００１】
本発明は、地名に対応するエリアを決定するエリア決定装置に関する。
【背景技術】
【０００２】
従来、ＳＮＳ（Social  Networking  Service）等においてユーザによって投稿された投稿データ（投稿情報）に含まれる地名と、当該投稿データが発信されたときのユーザ端末の位置情報（緯度及び経度）とを対応付けることにより、地名に対応するエリア（緯度及び経度の範囲）を示す情報を人手によらずに生成するシステムが知られている（下記特許文献１参照）。このように生成された情報は、例えば、所定の地名に対応するエリア内に存在する施設を検索するためのシステム等で利用され得る。
【０００３】
下記特許文献１に開示されたシステムは、投稿データに含まれる地名と、当該投稿データが発信されたときのユーザ端末の位置情報とを対応付けた辞書情報を蓄積し、複数の辞書情報に基づいて当該地名に対応するエリアを決定する。また、上記システムは、このような地名に対応するエリアを精度良く決定するために、ＧＰＳ（グローバル・ポジショニング・システム）の誤差を含む投稿データ等の信頼性の低い情報（ノイズ）を除去する仕組みを備えている。具体的には、上記システムは、複数の辞書情報に対する統計処理を行うことにより、ノイズの除去を実行する。より具体的には、上記システムは、一の地名に関する複数の辞書情報に含まれる位置情報の分布から緯度及び経度それぞれの信頼区間を算出し、信頼区間に含まれない辞書情報をノイズとして除去する。
【先行技術文献】
【特許文献】
【０００４】
【特許文献１】特開２０１２−２５２３９１号公報
【発明の概要】
【発明が解決しようとする課題】
【０００５】
上記システムによれば、例えば、「みなとみらいに遊びに来た。」等のように地名「みなとみらい」を含む複数の投稿データのそれぞれの投稿位置（緯度及び経度）に基づいて、地名「みなとみらい」に対応するエリアを決定することができると考えられる。このようなエリアは、ユーザが地名「みなとみらい」に対応するエリアであると認識しているエリア（すなわち、地名「みなとみらい」に対するユーザの感覚に合ったエリア）であると考えられる。
【０００６】
しかしながら、上記システムのように、位置情報（いわゆるジオタグ）が付加された投稿データに基づいて地名に対応するエリアを一から決定するためには、適切なエリアを得るために相当数の投稿データが必要となる。また、位置情報が付加された投稿データを発信するか否かは、ユーザによって自由に設定可能とされていることが多く、必要となる十分の数の投稿データを収集できるとは限らない。このため、上記手法では、十分な数の投稿データが得られず、地名に対応するエリアを適切に画定できないケースがあり得る。また、十分な数の投稿データが得られなければ、上述したノイズの除去のための統計処理の精度も低下するため、地名に対応するエリアを精度良く決定できないといった問題も生じ得る。
【０００７】
そこで、本発明は、投稿情報の数が少ない場合であっても、地名に対するユーザの感覚に合ったエリアを精度良く決定することができるエリア決定装置を提供することを目的とする。
【課題を解決するための手段】
【０００８】
本発明の一側面に係るエリア決定装置は、一又は複数のユーザによって投稿された、所定の地名を示す文字列と投稿位置を示す位置座標の情報とを含む一又は複数の投稿情報を取得する投稿情報取得部と、所定の地名に予め対応付けられたエリアである対応エリアを示す情報を取得するエリア情報取得部と、上記一又は複数の投稿情報の各々の投稿位置と対応エリアとの位置関係に基づいて、対応エリアを拡張するエリア拡張部と、を備える。
【０００９】
上記エリア決定装置では、所定の地名を示す文字列を含む投稿情報の各々の投稿位置に基づいて、当該所定の地名に予め対応付けられた対応エリアが拡張される。また、対応エリアを拡張する際には、各投稿情報の投稿位置と対応エリアとの位置関係が考慮される。すなわち、上記エリア決定装置は、所定の地名を含む投稿情報の投稿位置に基づいて当該所定の地名に対応するエリアを一から生成するのではなく、基準となる対応エリアと各投稿位置との位置関係に基づいて当該対応エリアを拡張する。このように、上記エリア決定装置は、予め用意された対応エリアを基準として用いることにより、投稿情報の数（すなわち投稿位置の数）が少ない場合であっても、地名に対するユーザの感覚に合ったエリアを精度良く決定することができる。
【発明の効果】
【００１０】
本発明によれば、投稿情報の数が少ない場合であっても、地名に対するユーザの感覚に合ったエリアを精度良く決定することができるエリア決定装置を提供することができる。
【図面の簡単な説明】
【００１１】
【図１】一実施形態に係るエリア決定装置の機能構成を示すブロック図である。
【図２】対応エリア及び拡張エリアの一例を示す図である。
【図３】対応エリアの拡張に用いられる投稿位置を選択する処理の一例を説明するために用いる図である。
【図４】複数の投稿位置に基づいて拡張されるエリアの３つの例を示す図である。
【図５】エリア決定装置の処理手順の一例を示すフローチャートである。
【図６】エリア決定装置のハードウェア構成を示すブロック図である。
【発明を実施するための形態】
【００１２】
以下、添付図面を参照して、本発明の一実施形態について詳細に説明する。なお、図面の説明において同一又は相当要素には同一符号を付し、重複する説明を省略する。
【００１３】
図１は、本発明の一実施形態に係るエリア決定装置１０の機能構成を示す図である。エリア決定装置１０は、所定の地名を示す文字列と投稿位置を示す位置座標の情報（例えば緯度及び経度）とを含む一又は複数の投稿情報から、当該所定の地名に予め対応付けられた対応エリアを拡張することで、当該所定の地名に対するユーザの感覚に合ったエリアを決定（拡張）する装置である。ここで、「所定の地名に予め対応付けられた対応エリア」は、例えば国等の公的機関等（或いは地図情報を提供する民間機関等）によって、所定の地名に対応するエリアとして区画されたエリア（緯度及び経度の範囲）である。このような対応エリアは、所定の地名に対応するエリアを示すものとして信頼性の高い情報であるといえる。
【００１４】
図２は、所定の地名の一例である「みなとみらい」に予め対応付けられた対応エリアＡ１と、エリア決定装置１０が地名「みなとみらい」の対応エリアＡ１を拡張することで得られるエリアの例（拡張エリアＡ２）とを示している。図２に示すように、エリア決定装置１０によれば、所定の地名（例えば「みなとみらい」）に対して国等が予め定めた対応エリアＡ１には含まれないが、当該所定の地名に対するユーザの感覚に合ったエリア（すなわち拡張エリアＡ２）を決定（拡張）することができる。ここで、「所定の地名に対するユーザの感覚に合ったエリア」とは、ユーザが当該所定の地名が指し示す地理的範囲として一般的に認識しているエリアともいえる。例えば、有名な観光エリア及び繁華街等を示す地名（図２の例では、「みなとみらい」）については、当該地名に対して国等が予め定めたエリアの近傍エリア（図２の例では、横浜赤レンガ倉庫付近のエリア）についても、当該地名に対応するエリアであると一般的に認識されている場合がある。
【００１５】
続いて、エリア決定装置１０の各機能要素を説明する。図１に示すように、エリア決定装置１０は、記憶部１１と、投稿情報取得部１２と、エリア情報取得部１３と、エリア拡張部１４とを備える。
【００１６】
記憶部１１は、エリア決定装置１０における処理に必要となる情報（ここでは、エリア情報取得部１３の処理に必要な情報）と、エリア決定装置１０により生成された情報（ここでは、エリア拡張部１４により拡張されたエリアを示す情報）とを記憶する機能要素である。各情報の内容については後述する。
【００１７】
投稿情報取得部１２は、一又は複数のユーザによって投稿された、所定の地名を示す文字列と投稿位置を示す位置座標の情報とを含む一又は複数の投稿情報を取得する機能要素である。
【００１８】
「所定の地名」は、処理対象（エリアを拡張する対象）となる地名であり、例えばオペレータ等によって入力される。所定の地名は、例えば、市区町村等の区画、観光地或いは観光エリアの名称、繁華街、及び各種施設等の地理的な範囲を有する場所を示す名称である。なお、処理対象となる地名が複数ある場合、投稿情報取得部１２は、処理対象となる複数の地名の中から１つの地名を取得し、取得された地名について、投稿情報取得部１２、エリア情報取得部１３、及びエリア拡張部１４が各処理（詳しくは後述）を実行してもよい。このような処理が処理対象となる地名の数だけ繰り返されることで、処理対象となる全ての地名に対する処理（エリアを拡張するための処理）が順次実行される。以下、所定の地名（処理対象となる地名）は「みなとみらい」であるものとして、各処理について説明する。
【００１９】
投稿情報取得部１２は、例えばＳＮＳ（Social  Networking  Service）等において不特定多数のユーザによって投稿された投稿情報（例えばツイート等）を、ＳＮＳを提供するサーバ（或いは投稿情報を蓄積するデータベース等）等から取得する。投稿情報は、ユーザによって入力されたテキストを含んでいる。投稿情報取得部１２は、取得された投稿情報のうちから、所定の地名を示す文字列「みなとみらい」がテキストに含まれている投稿情報を抽出する。
【００２０】
投稿情報取得部１２は、例えば形態素解析を実行することにより、所定の地名を示す文字列を含む投稿情報を抽出してもよい。この場合、投稿情報取得部１２は、ＳＮＳを提供するサーバ等から取得した投稿情報を形態素解析することで、当該投稿情報を複数の形態素に分割する。そして、投稿情報取得部１２は、複数の形態素のいずれかが所定の地名（ここでは「みなとみらい」）に一致する場合に、当該投稿情報を所定の地名を示す文字列を含む投稿情報として抽出する。このような形態素解析を実行することで、適切な投稿情報を精度よく取得することができる。例えば所定の地名が「京都」である場合、形態素解析を実行しなければ、地名「東京都」を示す文字列を含む投稿情報が、地名「京都」を示す文字列を含む投稿情報として誤って抽出されるおそれがある。一方、形態素解析を実行することにより、「東京都」が１つの形態素として得られるので、上記のような誤抽出を防止することができる。
【００２１】
さらに、投稿情報取得部１２は、上述のようにして抽出された地名「みなとみらい」を示す文字列を含む投稿情報のうちから、投稿位置を示す位置座標の情報を含む投稿情報を抽出する。投稿位置を示す位置座標の情報は、例えばジオタグ等である。ジオタグとは、投稿情報に付加され得る位置情報であり、例えばユーザが所有する端末から投稿情報が投稿（発信）された際における当該端末の位置（緯度及び経度）を示す情報である。ジオタグは、例えば、投稿情報を投稿する際における上記端末の処理によって当該投稿情報に付加される。また、投稿情報にジオタグを付加するか否かは、端末のユーザによって設定可能とされているため、上述のように抽出された投稿情報は、ジオタグが付加された投稿情報とジオタグが付加されていない投稿情報とを含み得る。
【００２２】
以上の処理により、投稿情報取得部１２は、一又は複数のユーザによって投稿された、所定の地名（ここでは「みなとみらい」）を示す文字列とジオタグ（投稿位置を示す位置座標の情報）とを含む一又は複数の投稿情報を取得することができる。ただし、投稿情報取得部１２が投稿情報を取得する方法は、上記方法に限られない。例えば、投稿情報取得部１２は、先にジオタグを含む投稿情報を抽出した後に、所定の地名を示す文字列を含む投稿情報をさらに抽出してもよい。また、例えば、ＳＮＳを提供するサーバ等が所定の検索条件に合致する投稿情報を出力する機能（検索機能）を実装している場合は、投稿情報取得部１２は、所定の地名を示す文字列及びジオタグを含むことを検索条件として上記サーバ等に対する検索要求を行うことで、所定の地名を示す文字列及びジオタグを含む投稿情報を取得してもよい。
【００２３】
エリア情報取得部１３は、所定の地名に予め対応付けられたエリアである対応エリアを示す情報（以下「対応エリア情報」）を取得する機能要素である。本実施形態では一例として、記憶部１１は、地名と当該地名に対応する住所の範囲（緯度及び経度の範囲等）を示す情報（上記対応エリア情報の一例）とを対応付けた情報（レコード）を複数格納する管理テーブルを記憶している。この場合、エリア情報取得部１３は、記憶部１１の管理テーブルを参照することにより、所定の地名（ここでは「みなとみらい」）に対応する対応エリア情報を取得することができる。なお、上記管理テーブルに対応する情報は、記憶部１１ではなく、エリア決定装置１０からアクセス可能な外部システムに格納されていてもよい。この場合、エリア情報取得部１３は、当該外部システムにアクセスすることで、当該対応エリア情報を取得することができる。
【００２４】
対応エリア情報は、例えば、図２に示した対応エリアＡ１のような所定の地名（ここでは「みなとみらい」）に対応する緯度及び経度の範囲を特定可能な情報である。対応エリア情報は、例えば、対応エリアの輪郭線の緯度及び経度を示す情報であってもよい。このような情報によれば、図２に示したような対応エリアＡ１を特定することができる。ただし、対応エリア情報は、上記の情報に限られず、対応エリアの定義の仕方等によって定められてもよい。例えば、対応エリアは、地図上の領域を複数のメッシュ領域（例えば１辺が１００ｍの正方形状の領域）に分割した場合において、当該対応エリアに含まれるメッシュ領域を特定することによって定義されてもよい。この場合、対応エリアに含まれる一又は複数のメッシュ領域を特定する情報が、対応エリア情報として用いられ得る。
【００２５】
エリア拡張部１４は、投稿情報取得部１２により取得（抽出）された一又は複数の投稿情報の各々の投稿位置とエリア情報取得部１３により取得された対応エリア情報に示される対応エリアとの位置関係に基づいて、対応エリアを拡張する機能要素である。例えば、エリア拡張部１４は、上記一又は複数の投稿情報の各々の投稿位置と上記対応エリアとの距離に基づいて、上記一又は複数の投稿情報の各々の投稿位置のうちから、対応エリアの拡張に用いられる一又は複数の投稿位置を選択する。そして、エリア拡張部１４は、このようにして選択された一又は複数の投稿位置に基づいて対応エリアを拡張する。
【００２６】
以下、エリア拡張部１４の処理の具体例について説明する。まず、エリア拡張部１４は、投稿情報取得部１２により取得された各投稿情報の投稿位置と対応エリアとの距離を算出する。エリア拡張部１４は、当該距離と予め定められた閾値Δｄとを比較し、当該距離が閾値Δｄ未満の場合（又は閾値Δｄ以下の場合）、当該投稿位置を対応エリアの拡張に用いられる位置として選択し、当該距離が閾値Δｄ以上の場合（又は閾値Δｄより大きい場合）、当該投稿位置を対応エリアの拡張に用いられる位置として選択しない。
【００２７】
図３を参照して、上述したエリア拡張部１４の処理（対応エリアの拡張に用いられる投稿位置を選択する処理）について詳しく説明する。図３において、Ｐ１及びＰ２は、投稿情報取得部１２により取得された２つの投稿情報の各々の投稿位置を示す。なお、以下の説明では、投稿情報取得部１２により取得された投稿位置のことを総称して、投稿位置Ｐとも表す。
【００２８】
図３の例では、エリア拡張部１４は、各投稿情報の投稿位置Ｐ１，Ｐ２と対応エリアＡ１との距離ｄ１，ｄ２を算出する。ここで、距離ｄ１，ｄ２は、それぞれ投稿位置Ｐ１，Ｐ２と対応エリアＡ１との最短距離である。このような距離ｄ１，ｄ２は、各投稿位置Ｐ１，Ｐ２の緯度及び経度と、対応エリアＡ１の対応エリア情報とに基づいて、所定の計算処理を実行することにより算出可能である。そして、エリア拡張部１４は、当該距離ｄ１，ｄ２と予め定められた閾値Δｄとを比較する。閾値Δｄは、例えばオペレータ等によって自由に設定されてもよい。或いは、閾値Δｄは、予め定められたルールに基づいて定められた値（例えば、対応エリアＡ１を包含する最小の円領域の半径に対して予め定められた割合を乗じた値等）であってもよい。図３の例において、「ｄ１＜Δｄ＜ｄ２」の関係が成立している場合、エリア拡張部１４は、閾値Δｄよりも小さい距離ｄ１を有する投稿位置Ｐ１を、対応エリアＡ１の拡張に用いられる位置として選択する。一方、エリア拡張部１４は、閾値Δｄよりも大きい距離ｄ２を有する投稿位置Ｐ２を、対応エリアＡ１の拡張に用いられる位置として選択しない。
【００２９】
このような投稿位置Ｐの選別は、以下の考え方に基づいている。上述した通り、対応エリアＡ１は、所定の地名に対応するエリアとして信頼性の高い情報であるといえる。そして、このような対応エリアＡ１から近い位置にある投稿位置Ｐは、ユーザが一般的な感覚として、所定の地名に対応するエリアに含まれると認識している位置である可能性が高いと考えられる。具体的には、対応エリアＡ１から近い位置にある投稿位置Ｐは、例えば「みなとみらいに遊びに来た。」等のテキストを含む投稿情報の投稿位置のように、ユーザが地名「みなとみらい」に対応するエリアに含まれると認識している位置である可能性が比較的高いと考えられる。すなわち、所定の地名に対して国等によって区画されたエリアには含まれないものの、一般的なユーザの感覚として、所定の地名に対応するエリアに含まれると認識されている位置である可能性が高いと考えられる。
【００３０】
一方、対応エリアＡ１から遠い位置にある投稿位置Ｐは、ＧＰＳの誤差を含む投稿情報等に基づく信頼性の低い情報である可能性が高いと考えられる。或いは、例えば「今週末みなとみらいに遊びに行く予定だ。」等のテキストを含む投稿情報のように、地名「みなとみらい」に対応するエリアに自身がいないことを認識した上でユーザが投稿した投稿情報の投稿位置である可能性が高いと考えられる。このような投稿位置は、地名「みなとみらい」に対応するエリアに含まれるとユーザが認識している位置とはいえないため、対応エリアＡ１の拡張に用いられる投稿位置の集合から除外されることが好ましい。従って、上述のように、対応エリアＡ１からの距離に基づいて対応エリアＡ１の拡張に用いられる投稿位置Ｐを選別することで、後述する処理によって決定される拡張エリアＡ２の精度を高めることが期待できる。
【００３１】
続いて、エリア拡張部１４は、上述のようにして対応エリアＡ１の拡張に用いられる一又は複数の投稿位置を選択した後、選択された一又は複数の投稿位置に基づいて対応エリアＡ１を拡張する。具体的には、エリア拡張部１４は、予め定められた対応エリアＡ１に対して、所定の地名に対応するエリアとして新たに加えられる拡張エリアＡ２を決定する。一又は複数の投稿位置から拡張エリアＡ２を決定する方法は特定の方法に限定されないが、エリア拡張部１４は、例えば以下に述べる第１〜第３の例のような方法により、拡張エリアＡ２を決定することができる。
【００３２】
（第１の例）
図４の（ａ）は、拡張エリアＡ２の第１の例（拡張エリアＡ２１）を示す図である。以下、拡張エリアＡ２１を求めるためにエリア拡張部１４が実行する処理の一例について説明する。拡張エリアＡ２１は、複数の投稿位置Ｐを全て包含する円形領域である。エリア拡張部１４は、対応エリアＡ１の拡張に用いられる位置として選択された複数の投稿位置Ｐに基づいて、複数の投稿位置Ｐの重心Ｃを算出する。具体的には、エリア拡張部１４は、複数の投稿位置Ｐの緯度及び経度のそれぞれの平均値を算出し、算出された緯度の平均値を重心Ｃの緯度とし、算出された経度の平均値を重心Ｃの経度とする。これにより、重心Ｃの位置（緯度及び経度）が求まる。続いて、エリア拡張部１４は、複数の投稿位置Ｐのうち重心Ｃから最も遠い位置にある投稿位置Ｐｆを特定し、投稿位置Ｐｆと重心Ｃとの距離Ｄを算出する。このようにして算出された重心Ｃの位置と距離Ｄとにより、重心Ｃを中心として距離Ｄを半径とする円形の領域である拡張エリアＡ２１が特定される。すなわち、第１の例においては、重心Ｃの位置及び距離Ｄが、拡張エリアＡ２１を特定する情報（すなわち、拡張エリアＡ２１の輪郭線を特定する情報）となる。
【００３３】
（第２の例）
図４の（ｂ）は、拡張エリアＡ２の第２の例（拡張エリアＡ２２）を示す図である。以下、拡張エリアＡ２２を求めるためにエリア拡張部１４が実行する処理の一例について説明する。拡張エリアＡ２２は、複数の投稿位置Ｐを包含する最小の凸集合である凸包である。エリア拡張部１４は、複数の点集合（複数の投稿位置Ｐの緯度及び経度）に対して公知の凸包計算アルゴリズムを用いることにより、拡張エリアＡ２２を求めることができる。具体的には、エリア拡張部１４は、上記アルゴリズムを実行することにより、凸包の頂点を構成する投稿位置Ｐｃを求めることができる。このようにして求められた投稿位置Ｐｃ（図４の（ｂ）の例では、６つの投稿位置Ｐｃ）に基づいて、複数の投稿位置Ｐを包含する凸包である拡張エリアＡ２２が特定される。すなわち、第２の例においては、凸包の頂点を構成する投稿位置Ｐｃの位置（緯度及び経度）が、拡張エリアＡ２２を特定する情報（すなわち、拡張エリアＡ２２の輪郭線を特定する情報）となる。
【００３４】
（第３の例）
図４の（ｃ）は、拡張エリアＡ２の第３の例（拡張エリアＡ２３）を示す図である。以下、拡張エリアＡ２３を求めるためにエリア拡張部１４が実行する処理の一例について説明する。拡張エリアＡ２３は、複数の投稿位置Ｐのうち最北端の投稿位置Ｐｎ、最南端の投稿位置Ｐｓ、最西端の投稿位置Ｐｗ、及び最東端の投稿位置Ｐｅにより規定される矩形状の領域である。具体的には、拡張エリアＡ２３は、投稿位置Ｐｎ，Ｐｓを通る緯線に平行な各線分と投稿位置Ｐｗ，Ｐｅを通る経線に平行な各線分とにより囲まれる矩形状の領域である。エリア拡張部１４は、拡張エリアＡ２３を決定するために、複数の投稿位置Ｐの緯度及び経度のうちから緯度の最小値及び最大値、並びに経度の最小値及び最大値を抽出する。このように抽出された緯度の最小値及び最大値、並びに経度の最小値及び最大値により、拡張エリアＡ２３が特定される。すなわち、第３の例においては、複数の投稿位置Ｐの緯度及び経度のうちから抽出された緯度の最小値及び最大値、並びに経度の最小値及び最大値が、拡張エリアＡ２３を特定する情報（すなわち、拡張エリアＡ２３の輪郭線を特定する情報）となる。
【００３５】
エリア拡張部１４は、上記第１〜第３の例のようにして拡張エリアＡ２（Ａ２１〜Ａ２３）を特定する情報を取得し、当該情報を記憶部１１に出力する。これにより、記憶部１１には、所定の地名に対応する拡張エリアＡ２を特定する情報が記憶される。
【００３６】
なお、対応エリアＡ１は既に所定の地名に対応するエリアとして定められているため、エリア拡張部１４は、対応エリアＡ１内にある投稿位置Ｐについては除外し、対応エリアＡ１の外側に位置する投稿位置Ｐのみに基づいて上記処理を実行してもよい。これにより、処理対象となる投稿位置Ｐを減らすことができ、処理量を低減することができる。ただし、対応エリアＡ１は、対応エリアＡ１内にある投稿位置Ｐも処理対象とした上で、上記処理を実行してもよい。上記いずれの処理を実行する場合においても、対応エリアＡ１と拡張エリアＡ２とは互いに重複する領域を有し得る。この場合、拡張エリアＡ２のうち対応エリアＡ１と重複しない領域部分が、エリア拡張部１４の上記処理によって実質的に拡張される部分である。
【００３７】
続いて、図５に示すフローチャートを参照して、エリア決定装置１０が所定の地名（例えば「みなとみらい」）に対応する対応エリアを拡張する際における処理手順の一例を説明する。
【００３８】
まず、投稿情報取得部１２は、一又は複数のユーザによって投稿された、所定の地名を示す文字列と投稿位置を示す位置座標の情報とを含む一又は複数の投稿情報を取得する（ステップＳ１）。投稿情報取得部１２は、このようにして取得された一又は複数の投稿情報の各々の投稿位置Ｐ（緯度及び経度）を後述する判定対象の投稿位置Ｐとして取得する（ステップＳ２）。
【００３９】
一方、エリア情報取得部１３は、所定の地名に予め対応付けられたエリアである対応エリアＡ１を示す対応エリア情報を取得する（ステップＳ３）。一例として、エリア情報取得部１３は、記憶部１１に記憶されている管理テーブルを参照することにより、対応エリア情報を取得する。
【００４０】
続いて、エリア拡張部１４は、投稿情報取得部１２により取得された一又は複数の投稿位置Ｐのうちから対応エリアＡ１の拡張に用いられる投稿位置Ｐを選択する処理（ステップＳ４〜Ｓ８）と、選択された一又は複数の投稿位置Ｐに基づいて対応エリアＡ１を拡張する処理（ステップＳ９）とを実行する。
【００４１】
まず、エリア拡張部１４は、対応エリアＡ１の拡張に用いられるか否かの判定がされていない投稿位置Ｐを１つ選択し（ステップＳ４）、選択された投稿位置Ｐと対応エリアＡ１との距離（最短距離）を算出する（ステップＳ５）。そして、エリア拡張部１４は、当該距離が所定の閾値Δｄ以上であるか否かを判定する（ステップＳ６）。
【００４２】
ステップＳ６において、当該距離が閾値Δｄ未満であると判定された場合（ステップＳ６：ＮＯ）、ステップＳ４で選択された投稿位置Ｐを対応エリアＡ１の拡張に用いられる投稿位置として選択する（ステップＳ７）。一方、ステップＳ６において、当該距離が閾値Δｄ以上であると判定された場合（ステップＳ６：ＹＥＳ）、ステップＳ４で選択された投稿位置Ｐを対応エリアＡ１の拡張に用いられる投稿位置として選択しない。
【００４３】
エリア拡張部１４は、未判定の投稿位置Ｐがなくなるまで、上述したステップＳ４〜Ｓ７の処理を繰り返す（ステップＳ８：ＹＥＳ）。全ての投稿位置Ｐについて判定が完了したら（ステップＳ８：ＮＯ）、エリア拡張部１４は、対応エリアＡ１の拡張に用いられる投稿位置として選択された投稿位置Ｐに基づいて、例えば上述した第１〜第３の例のいずれかの方法を用いることにより、対応エリアＡ１を拡張する（ステップＳ９）。具体的には、エリア拡張部１４は、上述したような方法を用いることにより、拡張エリアＡ２を特定する情報を算出し、当該情報を記憶部１１に格納する。
【００４４】
以上述べたエリア決定装置１０では、所定の地名を示す文字列を含む投稿情報の各々の投稿位置Ｐに基づいて、当該所定の地名に予め対応付けられた対応エリアＡ１が拡張される。すなわち、拡張エリアＡ２が決定される。また、対応エリアＡ１を拡張する際には、各投稿情報の投稿位置Ｐと対応エリアＡ１との位置関係が考慮される。すなわち、エリア決定装置１０は、所定の地名を含む投稿情報の投稿位置Ｐに基づいて当該所定の地名に対応するエリアを一から生成するのではなく、基準となる対応エリアＡ１と各投稿位置Ｐとの位置関係に基づいて当該対応エリアＡ１を拡張する。このように、エリア決定装置１０は、予め用意された対応エリアＡ１を基準として用いることにより、投稿情報の数（すなわち投稿位置Ｐの数）が少ない場合であっても、地名に対するユーザの感覚に合ったエリア（すなわち、拡張エリアＡ２）を精度良く決定することができる。
【００４５】
また、エリア拡張部１４は、一又は複数の投稿情報の各々の投稿位置Ｐ（図３の例では、投稿位置Ｐ１，Ｐ２）と対応エリアＡ１との距離（図３の例では、距離ｄ１，ｄ２）に基づいて、一又は複数の投稿情報の各々の投稿位置Ｐのうちから対応エリアＡ１を拡張するのに用いられる一又は複数の投稿位置Ｐ（図３の例では投稿位置Ｐ１）を選択する。そして、エリア拡張部１４は、選択された一又は複数の投稿位置Ｐに基づいて対応エリアＡ１を拡張する。上記構成によれば、各投稿位置Ｐと対応エリアＡ１との距離に基づいて、対応エリアＡ１を拡張するのに用いるべきではないと考えられる投稿位置Ｐ（図３の例では、投稿位置Ｐ２）をノイズとして適切に除去した上で、選択された投稿位置Ｐ（図３の例では、投稿位置Ｐ１）のみに基づいて対応エリアＡ１を適切に拡張することができる。
【００４６】
以下、上述のようにして得られた拡張エリアＡ２の活用例について、図２の例を用いて説明する。図２の例では、横浜赤レンガ倉庫付近の一帯のエリアは、国等の公的機関等によって区画された地名「みなとみらい」の対応エリアＡ１の外側にある。しかし、一般的なユーザの認識としては、横浜赤レンガ倉庫付近の一帯のエリアも地名「みなとみらい」に対応するエリアであると考えられている。従って、例えば検索キーワード「みなとみらい  カフェ」等を用いて地名「みなとみらい」が示すエリア内に含まれるカフェを検索するユーザに対しては、対応エリアＡ１にあるカフェだけでなく、横浜赤レンガ倉庫付近の一帯のエリアにあるカフェについても検索結果として提示することにより、ユーザ利便性を向上し得る。
【００４７】
ここで、エリア決定装置１０の処理によれば、上述のように「みなとみらい」に対するユーザの感覚に合ったエリア（拡張エリアＡ２）を決定することができる。そして、エリア決定装置１０は、地名「みなとみらい」に対応付けられたエリア（すなわち、対応エリアＡ１及び拡張エリアＡ２）を示す情報（記憶部１１に記憶された情報）を、上述の検索処理を実行する検索サーバに提供してもよい。或いは、エリア決定装置１０自身が検索サーバとして機能する場合には、エリア決定装置１０自身が当該情報を参照してもよい。これにより、検索サーバは、上述したユーザからの検索要求に対して、対応エリアＡ１にあるカフェだけでなく、拡張エリアＡ２にあるカフェについても検索結果として提示することが可能となる。すなわち、対応エリアＡ１と拡張エリアＡ２との和集合「Ａ１∪Ａ２」を検索範囲として検索を実行した結果をユーザに提示することが可能となる。その結果、上記例において、ユーザは、地名「みなとみらい」に対して国等によって区画されたエリアに含まれるカフェの情報はもちろんのこと、一般的なユーザ感覚として地名「みなとみらい」が示すエリアと認識されているエリアに含まれるカフェの情報も得ることが可能となる。
【００４８】
なお、本発明は上述した実施形態に限定されない。例えば、上記実施形態では、エリア拡張部１４は、最初に対応エリアＡ１の拡張に用いられる投稿位置Ｐを選択した後に、選択された投稿位置Ｐに基づいて対応エリアＡ１を拡張する処理を行ったが、エリア拡張部１４の処理は上記例に限られない。例えば、エリア拡張部１４は、以下のように処理の順番を入れ替えてもよい。すなわち、エリア拡張部１４は、最初に、投稿情報取得部１２により取得された全ての投稿情報の投稿位置Ｐを用いて暫定的な拡張エリアを決定した後に、当該拡張エリアのうち対応エリアＡ１から所定の距離以内の領域を拡張エリアとして決定してもよい。
【００４９】
また、エリア拡張部１４は、投稿位置Ｐと対応エリアＡ１との距離（最短距離）以外の指標を用いて、対応エリアＡ１の拡張に用いられる投稿位置Ｐを選択してもよい。例えば、地図上の領域が上述した複数のメッシュ領域で区切られている場合、エリア拡張部１４は、対応エリアＡ１が属するメッシュ領域と投稿位置Ｐが属するメッシュ領域との位置関係（例えば、メッシュ領域同士が隣接するか否か等）を上記指標として用いてもよい。また、投稿情報取得部１２によって取得される投稿情報が、所定の地名に予め対応付けられた対応エリアＡ１の近傍エリアから投稿された情報に予め絞り込まれている場合等には、対応エリアＡ１の拡張に用いられる投稿位置Ｐを選択する処理自体が不要となる。
【００５０】
また、エリア拡張部１４は、投稿位置Ｐと対応エリアＡ１との距離だけでなく、以下に説明する追加の情報にも更に基づいて、対応エリアＡ１の拡張に用いられる投稿位置Ｐを選択してもよい。以下、追加の情報の例（第１の例及び第２の例）について説明する。
【００５１】
（第１の例）
エリア拡張部１４は、一の投稿位置（以下、便宜上「投稿位置Ｘ」と表記する。）に基づいて定められる所定範囲内に含まれる投稿位置Ｐの数に更に基づいて、投稿位置Ｘを対応エリアＡ１の拡張に用いられる投稿位置Ｐとして選択してもよい。
【００５２】
地図上の領域が上述した複数のメッシュ領域で区切られている場合、エリア拡張部１４は、例えばメッシュ領域毎に地理的範囲（緯度及び経度の範囲）が対応付けられた情報（例えば予め記憶部１１に格納された情報）を参照することで、投稿位置Ｘが属するメッシュ領域の地理的範囲を上記所定範囲として定めてもよい。或いは、エリア拡張部１４は、投稿位置Ｘを中心とし、予め定められた半径を有する円形領域の地理的範囲を上記所定範囲として定めてもよい。
【００５３】
続いて、エリア拡張部１４は、上述のようにして定められた所定範囲内に含まれる投稿位置Ｐを抽出し、抽出された投稿位置Ｐの数を算出する。なお、同一のユーザによって投稿された複数の投稿情報の投稿位置Ｐについては１つのとして算出してもよい。この場合、上述のように算出される投稿位置Ｐの数は、ユニークな投稿ユーザ数を示すことになる。
【００５４】
上述のようにして抽出された投稿位置Ｐの数が多いことは、投稿位置Ｘの近傍エリアが所定の地名に対応するエリアに含まれると認識されている可能性が高いことを示すと考えられる。そこで、エリア拡張部１４は、抽出された投稿位置Ｐの数と予め定められた閾値（例えばオペレータ等により予め設定された値）とを比較し、その比較結果に基づいて、投稿位置Ｘを対応エリアＡ１の拡張に用いられる投稿位置Ｐとして選択するか否かを決定してもよい。具体的には、エリア拡張部１４は、抽出された投稿位置Ｐの数が上記閾値以上の場合（或いは上記閾値より大きい場合）に、投稿位置Ｘを対応エリアＡ１の拡張に用いられる投稿位置Ｐとして選択してもよい。
【００５５】
上述した第１の例によれば、所定の地名に対応するエリアに含まれると認識されている可能性が高い投稿位置Ｘを、対応エリアＡ１の拡張に用いられる投稿位置Ｐとして選択することができる。このようにして選択された投稿位置Ｐに基づいて拡張エリアＡ２を決定することにより、当該拡張エリアＡ２の精度の向上を図ることができる。
【００５６】
（第２の例）
エリア拡張部１４は、一の投稿情報（以下、便宜上「投稿情報Ｙ」と表記する。）に含まれるテキスト（所定の地名を示す文字列を含むテキスト）に更に基づいて、所定の地名（以下、便宜上「地名Ｚ」と表記する。）に予め対応付けられた対応エリアＡ１の拡張に用いられる投稿位置Ｐを選択してもよい。
【００５７】
具体的には、エリア拡張部１４は、投稿情報Ｙに含まれるテキストに基づいて、投稿情報Ｙの投稿時にユーザが地名Ｚによって示される場所にいると認識していたか否かを判定する。エリア拡張部１４は、例えば、公知の現地性判断の手法を用いることにより、上記判定を行うことができる。エリア拡張部１４は、上記の現地性判断の手法として、例えば「前後文脈を考慮したTweetの現地性判断，鬼塚友里絵  嶋田和孝，電子情報通信学会，言語理解とコミュニケーション研究会(NLC)，NLC2014-5，pp.23-28，2014」（以下、「参考文献１」）に開示されている手法を用いることができる。
【００５８】
例えば、エリア拡張部１４は、テキストに特定の言語表現が含まれているか否かに基づいて、当該テキストが、投稿情報Ｙの投稿時にユーザが地名Ｚによって示される場所にいると認識して入力したテキストであるか否かを判定することができる。例えば上記参考文献１に記載されている手法によれば、エリア拡張部１４は、「今地名Ｚにいる。」及び「地名Ｚに到着した。」等のように「いる」及び「到着」等の言語表現（投稿時点においてユーザが地名Ｚによって示される場所にいると認識していることを示唆する言語表現）を含むテキストを、ユーザが地名Ｚによって示される場所にいると認識して入力したテキストであると判定できる。また、エリア拡張部１４は、「明日地名Ｚに行く予定だ。」のように「明日」等の言語表現（投稿時点においてユーザが地名Ｚによって示される場所にいると認識していないことを示唆する言語表現）を含むテキストを、ユーザが地名Ｚによって示される場所にいると認識して入力したテキストでないと判定できる。
【００５９】
上述のように、投稿情報Ｙに含まれるテキストが、ユーザが地名Ｚによって示される場所にいると認識して入力したテキストであると判定できた場合（すなわち、ユーザが地名Ｚによって示される場所にいると認識していたと判定された場合）、エリア拡張部１４は、当該投稿情報Ｙの投稿位置Ｐを対応エリアＡ１の拡張に用いられる投稿位置Ｐとして選択する。或いは、投稿情報Ｙに含まれるテキストが、ユーザが地名Ｚによって示される場所にいると認識して入力したテキストでないと判定されなかった場合、エリア拡張部１４は、当該投稿情報Ｙの投稿位置Ｐを対応エリアＡ１の拡張に用いられる投稿位置Ｐとして選択してもよい。
【００６０】
上述した第２の例によれば、対応エリアＡ１からの距離に近いだけでなく、ユーザが地名Ｚによって示される場所にいると認識して投稿した可能性が高い投稿情報Ｙの投稿位置Ｐを、対応エリアＡ１の拡張に用いられる投稿位置Ｐとして選択することができる。このようにして選択された投稿位置Ｐに基づいて拡張エリアＡ２を決定することにより、当該拡張エリアＡ２の精度の向上を図ることができる。
【００６１】
また、エリア拡張部１４は、必ずしも図４に示した第１〜第３の例によって拡張エリアＡ２を決定しなくてもよい。例えば、エリア拡張部１４は、上述のようにして対応エリアＡ１の拡張に用いられる投稿位置Ｐとして選択された投稿位置Ｐ毎に拡張エリアＡ２を決定してもよい。具体的には、エリア拡張部１４は、選択された各投稿位置Ｐの近傍エリア（例えば各投稿位置Ｐを中心とする所定半径の円形領域等）を拡張エリアとしてもよい。この場合、選択された投稿位置Ｐの数だけ拡張エリアＡ２が生成されることになる。或いは、エリア拡張部１４は、選択された複数の投稿位置Ｐに対して公知のクラスタリングを実行し、複数の投稿位置Ｐから拡張エリアＡ２を決定する処理（例えば図４に示した第１〜第３の例の処理）をクラスタ別に実行してもよい。この場合、クラスタの数だけ拡張エリアＡ２が生成されることになる。
【００６２】
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線で）接続し、これら複数の装置により実現されてもよい。
【００６３】
例えば、上記実施形態におけるエリア決定装置１０は、上記実施形態のエリア決定装置１０の処理を行うコンピュータとして機能してもよい。図６は、本実施形態に係るエリア決定装置１０のハードウェア構成の一例を示す図である。上述のエリア決定装置１０は、物理的には、プロセッサ１００１、メモリ１００２、ストレージ１００３、通信装置１００４、入力装置１００５、出力装置１００６、及びバス１００７等を含むコンピュータ装置として構成されてもよい。
【００６４】
なお、以下の説明では、「装置」という文言は、回路、デバイス、ユニット等に読み替えることができる。エリア決定装置１０のハードウェア構成は、図６に示された各装置を１つ又は複数含むように構成されてもよいし、一部の装置を含まずに構成されてもよい。
【００６５】
エリア決定装置１０における各機能は、プロセッサ１００１、メモリ１００２等のハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００６６】
プロセッサ１００１は、例えば、オペレーティングシステムを動作させてコンピュータ全体を制御する。プロセッサ１００１は、周辺装置とのインターフェース、制御装置、演算装置、レジスタ等を含む中央処理装置（ＣＰＵ：Central  Processing  Unit）で構成されてもよい。
【００６７】
また、プロセッサ１００１は、プログラム（プログラムコード）、ソフトウェアモジュール、及び／又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、エリア決定装置１０のエリア拡張部１４は、メモリ１００２に格納され、プロセッサ１００１で動作する制御プログラムによって実現されてもよく、図１に示した他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されてもよい。
【００６８】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）等の少なくとも１つで構成されてもよい。メモリ１００２は、レジスタ、キャッシュ、メインメモリ（主記憶装置）等と呼ばれてもよい。メモリ１００２は、上記実施形態に係る情報処理方法（図５のフローチャートに示される手順等）を実施するために実行可能なプログラム（プログラムコード）、ソフトウェアモジュール等を保存することができる。
【００６９】
ストレージ１００３は、コンピュータ読み取り可能な記録媒体であり、例えば、ＣＤ−ＲＯＭ（Compact  Disc  ＲＯＭ）等の光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップ等の少なくとも１つで構成されてもよい。ストレージ１００３は、補助記憶装置と呼ばれてもよい。上述の記憶媒体は、例えば、メモリ１００２及び／又はストレージ１００３を含むデータベース、サーバ、その他の適切な媒体であってもよい。
【００７０】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュール等ともいう。
【００７１】
入力装置１００５は、外部からの入力を受け付ける入力デバイス（例えば、キーボード、マウス、マイクロフォン、スイッチ、ボタン、センサ等）である。出力装置１００６は、外部への出力を実施する出力デバイス（例えば、ディスプレイ、スピーカー、ＬＥＤランプ等）である。なお、入力装置１００５及び出力装置１００６は、一体となった構成（例えば、タッチパネル）であってもよい。
【００７２】
また、プロセッサ１００１及びメモリ１００２等の各装置は、情報を通信するためのバス１００７で接続される。バス１００７は、単一のバスで構成されてもよいし、装置間で異なるバスで構成されてもよい。
【００７３】
また、エリア決定装置１０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）等のハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００７４】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更された態様として実施することができる。したがって、本明細書の記載は、例示説明を目的とするものであり、本発明に対して何ら制限的な意味を有するものではない。
【００７５】
本明細書で説明した各態様／実施形態の処理手順、シーケンス、フローチャート等は、矛盾の無い限り、順序を入れ替えてもよい。例えば、本明細書で説明した方法については、例示的な順序で様々なステップの要素を提示しており、提示した特定の順序に限定されない。
【００７６】
入出力された情報等は特定の場所（例えば、メモリ）に保存されてもよいし、管理テーブルで管理されてもよい。入出力される情報等は、上書き、更新、又は追記され得る。出力された情報等は削除されてもよい。入力された情報等は他の装置へ送信されてもよい。
【００７７】
判定は、１ビットで表される値（０か１か）によって行われてもよいし、真偽値（Boolean：true又はfalse）によって行われてもよいし、数値の比較（例えば、所定の値との比較）によって行われてもよい。
【００７８】
本明細書で説明した各態様／実施形態は単独で用いられてもよいし、組み合わせて用いられてもよいし、実行に伴って切り替えて用いられてもよい。
【００７９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能等を意味するよう広く解釈されるべきである。
【００８０】
また、ソフトウェア、命令等は、伝送媒体を介して送受信されてもよい。例えば、ソフトウェアが、同軸ケーブル、光ファイバケーブル、ツイストペア及びデジタル加入者回線（ＤＳＬ）等の有線技術及び／又は赤外線、無線及びマイクロ波等の無線技術を使用してウェブサイト、サーバ、又は他のリモートソースから送信される場合、これらの有線技術及び／又は無線技術は、伝送媒体の定義内に含まれる。
【００８１】
本明細書で説明した情報及び信号等は、様々な異なる技術のいずれかを使用して表されてもよい。例えば、上記の説明全体に渡って言及され得るデータ、命令、コマンド、情報、信号、ビット、シンボル、チップ等は、電圧、電流、電磁波、磁界若しくは磁性粒子、光場若しくは光子、又はこれらの任意の組み合わせによって表されてもよい。
【００８２】
なお、本明細書で説明した用語及び／又は本明細書の理解に必要な用語については、同一の又は類似する意味を有する用語と置き換えてもよい。
【００８３】
また、本明細書で説明した情報、パラメータ等は、絶対値で表されてもよいし、所定の値からの相対値で表されてもよいし、対応する別の情報で表されてもよい。
【００８４】
上述したパラメータに使用される名称はいかなる点においても限定的なものではない。さらに、これらのパラメータを使用する数式等は、本明細書で明示的に開示したものと異なる場合もある。
【００８５】
本明細書で使用する「に基づいて」という記載は、別段に明記されていない限り、「のみに基づいて」を意味しない。言い換えれば、「に基づいて」という記載は、「のみに基づいて」と「に少なくとも基づいて」との両方を意味する。
【００８６】
「含む（including）」、「含んでいる（comprising）」、及びそれらの変形が、本明細書あるいは特許請求の範囲で使用されている限り、これら用語は、用語「備える」と同様に、包括的であることが意図される。さらに、本明細書あるいは特許請求の範囲において使用されている用語「又は（or）」及び「或いは（or）」は、排他的論理和ではないことが意図される。
【００８７】
本明細書において、文脈又は技術的に明らかに１つのみしか存在しない装置であることが示されていなければ、複数の装置をも含むものとする。
【００８８】
本明細書で使用する「決定(determining)」という用語は、多種多様な動作を包含する場合がある。「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事等を含み得る。また、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「決定」したとみなす事等を含み得る。また、「決定」は、解決(resolving)、選択(selecting)、選定(choosing)、確立(establishing)、比較(comparing)等した事を「決定」したとみなす事を含み得る。つまり、「決定」は、何らかの動作を「決定」したとみなす事を含み得る。
【００８９】
本開示の全体において、文脈から明らかに単数を示したものではなければ、複数のものを含むものとする。
【符号の説明】
【００９０】
１０…エリア決定装置、１１…記憶部、１２…投稿情報取得部、１３…エリア情報取得部、１４…エリア拡張部、１００１…プロセッサ、１００２…メモリ、１００３…ストレージ、１００４…通信装置、１００５…入力装置、１００６…出力装置、１００７…バス。
【図１】
2018055526.tif 000003
【図２】
2018055526.tif 000004
【図３】
2018055526.tif 000005
【図４】
2018055526.tif 000006
【図５】
2018055526.tif 000007
【図６】
2018055526.tif 000008